(57)【要約】【課題】任意の対象物を読み取るための読み取りヘッドの位置応じて、各種の機能を果たす個人用通信装置またはシステムを提供することを目的とする。【解決手段】データ及び画像信号を表示するための表示器と、可聴信号を発生させるためのスピーカと、音声信号を受信するためのマイクロフォンと、データを入力するためのキーパッドと、情報を受信及び送信するための通信インタフェースと、複数の位置に位置付け可能な読み取りヘッドとを有し、前記読み取りヘッドは、第１の位置では第１のレンズ要素を用いて画像信号を生成するために読み取り、第２の位置では第２のレンズ要素を用いて画像変換するために読み取るという多機能性を備えた構成の個人用通信装置またはシステムにすることにより、ユーザが望むデータ及びまたは画像を容易に捕獲することが可能となって、情報の伝達を良好かつ正確に処理することができるようになる。【選択図】図１Ａ
2006325227.tif 000002
【特許請求の範囲】
【請求項１】
情報を受信及び送信するための通信インタフェースと、
外部のデータ又は画像を獲得するためのカメラと、
データ及びビデオ画像を表示するための表示器と、
可聴信号を発音させるためのスピーカと、
音声信号を受信するためのマイクロフォンと、
コマンド又はデータを入力するためのキー入力部又はタッチスクリーンと、
前記各構成要素を統括的に制御し且つ処理する全体制御プロセッサとを備えた携帯通信装置であって、
前記カメラはカメラ方向を変えることができる調節式筐体内に取り付けられ、前記調節式筐体は前記カメラを前記カメラの異なる目的にあわせて複数の方向に位置付け、前記カメラの目的は、画像を捕獲すること、ビデオ画像を捕獲すること、及びテキスト画像を捕獲することから選択される少なくとも２つの目的を有していることを特徴とする携帯通信装置。
【請求項２】
前記カメラは、ユーザが当該携帯通信装置を使用しながら前記ユーザの画像以外の画像を捕獲することができる方向に前記調節式筐体によって回転可能で、これにより前記ユーザが当該携帯通信装置を使用した双方向の通信をしながら、前記表示器が前記ユーザ以外の画像をそのユーザに示すことを特徴とする請求項１に記載の装置。
【請求項３】
被写体をテキスト若しくは識別コードとして認識するために前記カメラが位置付けられる場合、所定の認識ロジックによって情報が直接的に捕獲されることを特徴とする請求項１に記載の装置。
【請求項４】
前記全体制御プロセッサが標準メモリカードを含むことを特徴とする請求項１に記載の装置。
【請求項５】
前記全体制御プロセッサが捕獲された情報を他の互換装置に伝送するためのＲＦインタフェースを含むことを特徴とする請求項１又は２に記載の装置。
【発明の詳細な説明】
【技術分野】
【０００１】
この発明は、携帯ビデオ式遠隔地間会議システムや、携帯データエントリーシステム、携帯コンピュータシステム及びそのようなシステムの適用とそれに使用する設備とに関する。
【０００２】
（発明の開示）
本発明は、『マルチフォン（多機能電話）』として知られていて、完全に統合化されたビデオ式遠隔地間会議やデータエントリーや画像捕獲システムを与えてくれる多機能な手持ち携帯装置である。『マルチフォン』の好適な実施例は、次の要素から構成されている。
【０００３】
・データ及び／若しくは画像を捕獲するための調節可能な及び／若しくは互換性のある読み取りヘッド、
・マイクロフォンと、オーディオデータ及び／若しくは音声指令の捕獲を可能にするべく多くの背景ノイズを無くするための関連回路、
・そのような捕獲されたデータ及び／若しくは画像に関する情報を記憶するための書き直し可能な記憶装置、
・読み取りヘッド及び／若しくはマイクロフォンからの入力信号を受信して処理し、読み込まれた指令に応答し、『マルチフォン』の機能を制御する制御器、
・捕獲データ及び／若しくは画像、及び／若しくは記憶された情報を表現表示するための表示スクリーン、
・指令及び／若しくはデータを入力するためのキーパッド及び／若しくはタッチスクリーン部、
・捕獲データ及び／若しくは画像及び／若しくは記憶された情報に関連した、また他の互換性のある装置及び／若しくは遠隔処理センターに関連した情報の電話伝達及び／若しくは受信のための遠距離通信インタフェース、
・捕獲データ及び／若しくは画像及び／若しくは記憶情報に関連した、また他の代替装置及び／若しくは遠隔処理センターに関連した情報の無線周波数（ＲＦ）伝達及び／若しくは受信のためのＲＦインタフェース、
・標準的なＲＳ２３２ケーブル及び／若しくは無線周波数（ＲＦ）リンクを介して他の互換性のある装置に接続するための標準ＲＳ２３２インタフェース、
・標準的なパーフナルコンピュータメモリカード国際協会（ＰＣＭＣＩＡ）の互換性のあるメモリーと入出力（Ｉ／Ｏ）の周辺カードを本装置に実装してその機能性を高められるようにするための多くのＰＣＭＣＩＡ用スロット、
・パーソナルコンピュータ端子と同じように本装置を利用できるようにするためのビデオ表示装置（ＶＤＵ）と標準パーソナルコンピュータ（ＰＣ）のキーボード用差し込みレセプタクル、
・イヤフォン用差し込みレセプタクル。
【０００４】
一体の読み取りヘッドや制御器、書き直し可能な記憶装置、表示器、タッチスクリーン部、キーパッド及び／若しくは通信インタフェースを有した手持ちユニットを用意することで、データの捕獲、処理、記憶、表示及び伝達のために効率的且つ自己充足的に本ユニットが使用され得るようになる。特に、表示を含めることで、ユーザがデータ捕獲が行われている部位から目を離さずに捕獲されているデータを確かめたり及び／若しくは見ることができるようになる。
【０００５】
本装置の好適な実施例では、遠距離通信インタフェースが手持ちユニットに統合されており、捕獲データ及び／若しくは記憶された及び／若しくは指令が電話ネットワークを介して他の互換性のある装置及び／若しくは遠距離センターに伝達されたり及び／若しくは受信され得るようにしている。
【０００６】
好ましくは、遠距離通信インタフェースは、セル（小区画）電話ネットワークインタフェースのような無線電話ネットワークへの接続インタフェースである。これで、本発明は特に有利に実現され、手持ちユニットは標準的な携帯セル電話と同様に操作され、かくして例えば従来の有線電話ネットワークに本装置を差し込む必要無しに使用される。現在、セル電話ネットワークは、常識になっており、非常に広い利用域を提供している。これで、例えばユーザの家庭や仕事場等幾つかの都合の良い場所で手持ちユニットを容易に使用できるようになっている。
【０００７】
代わりに、遠距離通信インタフェースは、衛星電話ネットワークインタフェースや、例えば高度に局地化されたトランスポンダステーションに基づいた電話ネットワークの電話インタフェースのような無線電話インタフェース等の幾つかの形をとることができる。遠距離通信インタフェースがアナグロ式電話ネットワークと直接接続されるような場合、遠距離通信インタフェースはモデムを持つことになる。
【０００８】
本装置の他の実施例では、遠距離通信インタフェースは、無線周波数（ＲＦ）及び／若しくは光学式発信器と受信器、又は実に他のタイプの発信器と受信器も含むことができる。
本装置の好適な実施例では、一つ以上の標準的なＰＣＭＣＩＡカード用スロットが手持ちユニットに組込まれており、その全体的な機能性と柔軟性の両方を高めるようにしている。結果的に、手持ちユニットは、付加的なＰＣＭＣＩＡカードを利用することができ、ユーザの潜在的な用途に必要とされる機能性を達成する。
【０００９】
ＰＣＭＣＩＡカードは、メモリーと入出力（Ｉ／Ｏ）のカードの２つの機能カテゴリに分割される。各カテゴリの例示型式は下記のようなもので、次のものを含んでいる。
メモリカードは次の技術の内の一つを含んでいる：
・マスクＲＯＭ
・バッテリーでバックアツプされたＳＲＡＭ、
・ＵＶ  ＥＰＲＯＭ、
・１回のプログラム化が可能な（ＯＴＰ）ＲＯＭ、
・ＥＥＰＲＯＭ、
・フラッシュＰＲＯＭ。
【００１０】
Ｉ／Ｏカードは次の周辺装置の一つを含んでいる：
・ローカルエリアネットワークのインタフェース、
・ＦＡＸ／モデム ・ハードディスク、
・セル電話インタフェース、
・無線通信、
・３２７０のターミナルエミュレータ、
・直列、並列及びＳＣＳＩのポート、
・画像化カード、
・データエンコーダ、
・データ取得器。
【００１１】
一つ以上の標準的なＰＣＭＣＩＡカード用スロットを有した手持ちユニットを用意することで、結果的に本ユニットがＰＣＭＣＩＡカードを使用して潜在的なユーザのいかなる応用のメモリやＩ／Ｏの要求もかなえられるようにしている。
本発明の好適な実施例では、容易に取付け取外しできる再充電可能な電源が本装置への接続のために用意されている。従って、統合された及び／若しくは独立した充電ユニットには、再充電可能電源を再充電するための関連した電気接続部が設けられている。
【００１２】
本発明の幾つかの実施例では、本システムは、手持ちユニットから独立したベースユニットから構成され、ベースユニットと手持ちユニットとには、手持ちユニットとベースユニットの間で２方向のデータ転送操作ができる無線データリンクが設けられており、ベースユニットは、データ及び／若しくは画像及び／若しくは指令の電話伝達のための遠距離通信インタフェースを有している。
この実施例では、無線データリンクは、好ましくは２方向ＲＦデータリンクが手持ちユニットからベースユニットへの及び／若しくはベースユニットから手持ちユニットへのデータ転送ができるようにするべくベースユニットと手持ちユニットとに設けられた無線周波数（ＲＦ）の発信器及び／若しくは受信器から構成されている。このようなデータ転送は、結果的に手持ちユニットがベースユニットに在るかどうかに拘わらずに独立して行われる。他の実施例では、それは無線周波数よりはむしろ各々光学式の発信器及び受信器から、又は実に他のタイプの発信器及び受信器からも構成される。
【００１３】
上述のようにベースユニットを備えた又は備えない手持ちユニットから構成されたシステムは、更に手持ちユニットの操作によってユーザがアイテムの選択をするために関連データ源と共に複数の選択可能なアイテムを表示する手段と、手持ちユニットから発信されたユーザの選択したものを処理する遠隔処理センターも有することができる。手持ちユニットの制御器は、好ましくは、符号化された指令を遠距離通信インタフェースを介してデータ処理センターに発したり、手持ちユニットに記憶するために、プログラムを組むセンターから（例えば選択可能なアイテムに対する情報に関係した）プログラムデータを受けるように、例えば読み取りヘッドを介して入力された適当な指令に応答するように構成される。
【００１４】
本発明の好適な実施例では、手持ちユニットは３方向の或る程度ロック可能な回転ピボット及び／若しくは回転反射ミラー及び／若しくは電気的に操縦される基板を有しており、それらの全は、調節可能な親指ホィール及び／若しくはキーパッドによって電気的に制御され及び／若しくは調節されるものであり、それらのいずれも、読み取りヘッドの視点を変え且つ本システムの主要機能を変えるものである。回転可能な親指ホィールは、好ましくは、表示スクリーンに最も近い本装置の頂部又は側部上の適当で使い勝手の良い位置に配置された小形の円形装置が好ましい。読み取りヘッドの見る位置に応じて、本装置は色々な主要機能をはたすためにプログラムが組まれている。
【００１５】
好ましくは、読み取りヘッドは、次の３つの位置を有する：
・位置１では、読み取りヘッドは、垂直姿勢になっており、ユーザ上の或る点を向いている。
・位置２では、読み取りヘッドは、水平姿勢になっており、ユーザから水平方向外側を向いている。
・位置３では、読み取りヘッドは、垂直姿勢になっており、ユーザから離れた或る点を見下ろしている。
【００１６】
手持ちユニットの好適な実施例では、これら３つの位置に対する幾つかの潜在的な応用は：
位置１：エンドユーザの顔をとらえてフィールドや家庭や仕事場のいずれかのもう一つ別の受信可能な装置との間でビデオ遠隔地間会議ができるようにする。
この特長は、ただ単に声だけの伝達と比較してより優れた通信媒体を付加するものである。この位置では、ユーザは携帯電話装置と言うよりも計算器により近い状態で本装置を持ってマイクロホンに話すことになろう。
位置２：ユーザが容易にアクセスして、例えば識別のために使用されるバーコードやドットコード、滴点コード、実質的に適当に符号化されたデータや明瞭な形状等の情報である各種の製品及び／若しくはアイテム及び／若しくは人物を容易に識別できる。
位置３：ユーザが表示スクリーン上のデータ及び／若しくは画像を見ている間に本装置の下方の全く同じデータ及び／若しくは画像を捕獲できるようにする。
【００１７】
手持ちユニットの機能性は、基本的には位置２と同じであるが、しかしこの位置では、ユーザによって指摘された文章、指紋、サイン又はいろいろなデータ及び／若しくは画像を容易に捕獲できる。字号や画像の認識ロジックを設けることで、グラフや英数字データの表示が直接的に捕獲されるようになる。この捕獲されたデータ及び／若しくは画像は、次いで記憶されたり及び／若しくは他の受信可能な装置及び／若しくは遠隔の処理センターに伝達される。他の使用し得る装置としては、写真複写の機能を持つプリンターとＦＡＸ機器がある。
【００１８】
各位置では、制御器は、関連したレンズ系を最適に整えて正しい焦点を確定し、情報の正確な捕獲ができるようにし、オーディオの及び／若しくは視覚のフィールドバックを組合わせることで適当に示される良好な読み取りができるようにユーザを補助する。かくして、例えば情報が正しく読み取られると、ピーッと言う音が発せられ、緑色の表示ライトが点灯され、また情報が間違って読み取られると、２つのピーッと言う音が発せられて赤色の表示ライトが点灯される。代わりに、適当な合成の又は登録された声メッセージが出力されたり、表示スクリーン上に視覚表示が示されるようにもできる。
【００１９】
本発明の好適な実施例では、手持ちユニットはキーパッド部を有しており、ユーザが指令やデータを入力できるようにしたり、又は本装置の作動状況を例えばパワーアップやパワーダウン等の所定の機能に変換できるようにしている。更に、キーパッド部は、キーパッド及び／若しくはペン書き機器としての働きができるタッチスクリーン部によって補足されたり、代替される。
【００２０】
好ましくは、一つ以上のデータアイテムの表示ができるように上下左右の４つの方向で表示をスクロールする手段が設けられる。表示をスクロールさせることで、比較的コンパクトな表示器で多数のアイテムがアクセスされ得ることになる。
表示をスクロールさせる幾つかの代替方法がタッチスクリーン及び／若しくはキーパッド部及び／若しくは音声による指令を使ったりして手持ちユニット内に組込まれる。
【００２１】
結果的に、本発明に係るシステムは、特にセルネットワーク電話システムのような無線電話システムと共に使用する遠距離通信インタフェースを含んだ手持ちュニットから構成されたシステムは、例えば『ホームショッピング』に使用する特に役立つ装置を提供してくれる。それは、ユーザが本装置を在来の電話ネットワークに接続する必要無しに快適な彼の又は彼女の家庭でカタログから又はテレビジョン画面に表示された一連の選択物から買物の選択ができるようにする。更に、そのようなシステムは、システムのユーザが場所から場所へ移動中で在来の有線電話ネットワークのソケットから遠ざかっている時にデータエントリー作業を行う必要があるような特別な応用を満足してくれる。
【００２２】
上述のようなシステムは、好ましいことには、或る形式のユーザ照合を行う。
このユーザ照合は、（例えばクレジットカード、スマートカード又は支払いや他の確認カード等の）照合カードや、個人識別番号（ＰＩＮ）、サイン、指紋、声紋、又は照合目的に安全に使用されるような他の情報等の多くの形式を取ることができる。結果的に、手持ちユニットの操作は適切に認可されたユーザに限定され得るものである。
【００２３】
本発明の例示実施例を、同じ参照番号が同じ特性物に使用されている添付図面を参照にしてただ単に例として以下に説明する：
図１Ａと１Ｂは、ほぼ矩形状の形を成し、ただ単に簡明化の理由で以下『マルチフォン２０』と称される手持ちユニットの一実施例の各々上からと下からの概略図である。マルチフォン２０は、手のひらで基本的に片手操作できるように保持され且つ標準的な移動電話と同様に親指と人差指の間で把持されるようになっている。
【００２４】
マルチフォン２０は、矩形本体１１を有しており、この例ではたとえ寸法が技術的制約のある条件下で所望のようにより大きく又はより小さくされるのであるが、外形寸法は、約１８０ｍｍ×７０ｍｍ×２０ｍｍ（各々高さ×幅×厚み）となっている。関連した発信器及び受信器のロジックに接続された無線通信に適したアンテナ１と、データ及び／若しくは画像の捕獲に適した、例えばカメラや赤外線光学読み取りヘッド（例えばレーザダイオード）等の読み取りヘッド２がマルチフォン２０の一端に設けられている他のタイプの読み取りヘッドも用意されよう。読み取りヘッドは、好ましくはクリップ−オン式囲い９９を使用して交換可能となっており、異なったタイプの読み取りヘッドを使えるようにしている。
【００２５】
適当な手段（例えば歯車箱）によってクリップ−オン式囲い９９に接続された調節用親指ホィール３が、読み取りヘッドが色々な作業位置に調節されるようにする。
図１Ａに示されているマルチフォン２０の上方面には、機能情報をユーザに伝える為に表示スクリーンが設けられている。この表示スクリーンは、好ましくは広範囲な表示可能なアイテムを表示する為に選択的に作動されるピクセルの在来の２次元カラーアレーから構成されている。然し、マルチフォン２０の低価格バージョンでは、表示部は、所定範囲のモノクロ文字や記号のみを表示するように構成され、これで表示部の複雑さや制御ロジックを削減し、かくして当業者に理解できるようにコストを削減している。
【００２６】
マルチフォン２０がデータ及び／若しくは画像を捕獲するのに適した色々な角度で保持されると、表示された情報がユーザによって常に読み取られるように十分に広い角度範囲に渡った読み取りを可能にするあらゆる適当な表示技術も使用される。このように、表示を読取るためにマルチフォン２０の向きを変える必要が無くなる。
【００２７】
ユーザが指令及び／若しくはデータを入力できるようにするキーパッド６とタッチスクリーン部１２とが設けられている。これらの部分は、マルチフォン２０の基本的操作を制御するために使用されている。タッチスクリーン部１２へのペンによる容易な筆記ができるようにする為に、取外し可能な尖筆ペン２８が本システムと共に使用するために用意されている。このペンは、本装置の頂部又は好ましくは本装置の頂部に最も近い側部の適当な好都合位置に設けられた引き込み式コンパートメント１９に使い勝手の良く収められている。
【００２８】
ユーザは、スピーカ５やマイクロフォン９やイヤフォン差込みレセプタクル１５を介したイヤフォン（図示されていない）を介して本ユニットと対話することもできる。更に、本ユニットは、差込みレセプタクル１３を介してビデオ（映像）表示ユニット（ＶＤＵ）（図示されていない）に、差込みレセプタクル１４を介してキーボード（図示されていない）に、また差込みレセプタクル４０を介してＲＳ２３２ケーブル（図示されていない）に接続される。各種のＰＣＭＣＩＡメモリとＩ／Ｏカードが、より詳細に後述しているように、ＰＣＭＣＩＡ用スロット１０を使用することで手持ちユニットに組込まれる。
【００２９】
マルチフォン２０は、適当なジャツクプラグを備えた標準的なＡＣ／ＤＣ電力供給部（図示されていない）から差込みレセプタクル１６を介して給電され且つ再充電される。マルチフォン２０の下側には、図１Ｂに示されているように、第１と第２の電気接点７、８とバッテリーコンパートメントを覆った取外し可能なバッテリーカバー１７とが適宜配置されている。取外し可能なバッテリーのコンパートメントの代替として、代わりに取外し可能な及び／若しくは固定式の再充電可能なバッテリーパックが用意されよう。全ての場合、電気接点７、８は、後でなお説明する予定であるが、再充電可能なバッテリーを充電するためにベースユニット２７の対応接点２４、２５と協同するように使い勝手の良く配置されている。
【００３０】
表示器４に加えて、（例えばＬＥＤ等の）一組のインディケータ灯１８、３９がマルチフォン２０の正しい使用と現時点での操作状態についてユーザにアドバイスするために使用されている。インディケータ灯１８は、データ及び／若しくは画像の捕獲が成功したのを知らせるために使用され、更にビデオによる遠隔地間の会議中に本装置が正しく使用されていることを表示するために使用されている。インディケータ灯３９は、マルチフォン２０がその再充填可能バッテリーを再充電中にしている時を知らせるために使用され、また更にマルチフォン２０の使用中に繰り返し点滅をＯＮ・ＯＦＦすることでバッテリーが再充電されたり、取替えられる必要がある時を知らせるために使用される。
【００３１】
さて、図２Ａ、２Ｂ、２Ｃ及び２Ｄを参照するが、それらは、各々図１Ａと１Ｂのマルチフォン２０と共に使用するベースユニット２７の一実施例の上からと、正面からと、側方からと、再度側方からの概略図である。
ベースユニット２７は、本装置がベースに収まっている時にマルチフォン２０を休止位置に保持する２つのフランジ２９、３０を備えたほぼ矩形状のハウジング８２を有している。休止位置は、更に、第１と第２の電気接点２４、２５を収容している位置決め／再充電用台３１によって確定される。前に述べたように、再充電可能バッテリー（図３では５３）を充電するためにマルチフォン２０の対応接点７、８と協働するようにそれら電気接点は、使い勝手の良く配置されている。２つのフランジ２９、３０は、マルチフォン２０がベース２７に収容されると、それを確実に適正に固定する。更に、位置決め／再充電用台３１は、マルチフォン２０のベースに充分な隙間を与えて、ＰＣＭＣＩＡ用スロット１０を占めているいずれのＰＣＭＣＩＡカードをも確実に連続して使用できるようにしている。
【００３２】
インディケータ灯２６は、マルチフォン２０の再充電可能なバッテリー（図３では５３）がベースユニットに挿入されている時にバッテリーが充電中であることを示すために使用される。再充電可能なバッテリーは、それ自身のベースユニット内に又はマルチフォン２０に接続されると所定位置に設置される。
【００３３】
電力は、差込みレセプタクル３８に差し込まれる適当なジャックプラグ（図示されていない）を備えた電力ケーブル２１を介して標準的なＡＣ／ＤＣ給電部（図示されていない）からベースユニット２７に供給される。ハウジング８２の側部にも、ベースユニット２７を電話線２２に接続するための標準的な電話プラグのソケット３７が設けられている。
ピボット３２、３４を介して各々ベースユニット２７に接続される折り畳み脚３３、３５は、ベースユニット２７に収められた時にマルチフォン２０の目視角度をユーザが変えられるようにするものである。
【００３４】
図２Ｃと２Ｄは、作用を図解するために側方からのベースユニットの概略図を示している。脚３５は、ベースユニット２７の本体からクリップ留めされずにピボット３４を介して位置決めされる。そうすることで、脚３３もピボット３２と半ロック可能な摺動ガイド３６を介して位置決めされる。
関連した発信器と受信器のロジックに接続された無線通信に適したアンテナ２３は、ベースユニット２７の頂部に配置されている。マルチフォン２０上に配置されたアンテナ１と関連したこのアンテナ２３は、ベースユニット２７とマルチフォン２０との間のデータ無線転送を行う。
【００３５】
さて図３を参照にするが、それはマルチフォン２０の機能エレメントの概略ブロック線図である。プロセッサ４１は、（例えばディジタル信号処理装置（ＤＳＰ）及び／若しくはＡＳＩＣ等の）特別目的の又は特別に構成されたユニットが代わりに使用される（図９を比較して下さい）のであるが、好ましくは、（例えばインテル８０３１やインテル８０３８６等の）在来のプログラム化可能なマイクロプロセッサによって構成される。読み出し専用メモリ（ＲＯＭ）４２は、母線４３を介して制御プログラムやデータや画像を記憶するプロセッサ４１に接続されている。
【００３６】
ＲＯＭ４２は、例えばフラッシュＰＲＯＭ等の適当な技術によって実装される。（例えば、１２８Ｋの低出力スタティックＲＡＭや、２５６Ｋ、５１２Ｋ、５Ｍｂ等のＲＡＭのようなより大きい容量のＲＡＭ等の）ランダムアクセスメモリ（ＲＡＭ）４４が母線４３を介してプロセッサに接続されている。ＲＡＭ４４は、カメラ２を使って捕獲されたデータや画像の記憶のための作業記憶器として使用される。
【００３７】
カメラ２によって捕獲されたデータに関する信号は、処理されるためにカメラインターェース４９を介してプロセッサ４１に送られる。カメラインタフェース４９は、更にビデオＣＯＤＥＣ５０にカメラ２からの捕獲データのディジタル表示を提供するもので、その場合それは表示及び／若しくは電話伝達のために適切に処理される。
プロセッサ４１に接続されたインディケータ灯１８は、カメラ２からのデータ及び／若しくは画像の捕獲の成功を知らせるのに使用され、更に本装置の正しい使用法を示すためにビデオ遠隔地間会議中にも使用される。
【００３８】
カメラインタフェース４９は、カメラ２からの受信に際して要求される全ての必要な信号条件設定を実行する。信号の条件設定は、カメラの配置そのものに依存し、好ましくは当業者に明らかなように、捕獲データを十分に緩衝増幅して正確なアナログ−ディジタル変換（ＡＤＣ）ができるようにする条件設定から構成される。
【００３９】
本装置の好適な実施例では、カメラ２は、完全にフォーマット化された複合ビデオ信号を提供し且つ自動露光制御を行う全ての機能を備えたカメラを作り出すために必要な全ての支持回路を備えた統合された画像読み込みアレーと、関連した信号処理回路とを有することになる。カメラ２は、好ましくは、更にセンサー制御を削減するためのプロセッサと、給電制御のための電圧レギュレータと、標準的なビデオ表示ユニット（ＶＤＵ）を直接駆動するエミッタホローワ出力バッファも有している。そのようなカメラの例としては、ＶＶＬ１０６３ミニチュアモノクロのオン−チップカメラがある。
【００４０】
カメラ２の位置は、親指ホィール３及び／若しくはサーボモータ６５を介して調節される。サーボモータ６５は、サーボ制御器６４を介してプロセッサ４１に接続されている。結果的に、ユーザは上述のように親指ホィール３及び／若しくはキーパッド６を介してマルチフォン２０の主要機能を変更できることになる。
【００４１】
サーボモータ６５と親指ホィール３の機械的な働きについてのより詳細な説明は、図６で後で説明するクリップオン式囲い９９を参照にして行う。
キーパッド６は、更にキーパッドインタフェース５１を介してプロセッサ４１に接続されている。付加的なキーボード（図示されていない）も、キーボードインタフェース８３を経てキーボード差込みレセプタクル１４を介してプロセッサ４１に接続される。キーパッド６は、更に電力制御モジュール（ＰＣＭ）５２に接続される。これは、キーパッドキーの一つが、マルチフォン２０をＯＮにするための、又はパワーダウンされた後にそれをパワーアップするための『パワーアップ』キーとしての働きをするからである。ＰＣＭ５２は、パワーダウンされた状態でのこのキー操作に応答し、プロセッサ４１にバッテリー５３を接続する。
【００４２】
ＰＣＭ５２は、更に、接点７、８がベースユニット２７の対応接点２４、２５に接続されたり、又は標準的なＡＣ／ＤＣ給電ジャックが、ＰＣＭ５２にも接続されているＡＣ／ＤＣ給電差込みレセプタクル１６に接続されると主バッテリー５３とバックアップバッテリー５７の充電も制御する。（例えばＬＥＤ等の）インディケータ灯３９は、バッテリー５３が充電されている時に表示するためにＰＣＭ５２に接続されており、また更にマルチフォン２０が使用されている時に繰り返し点滅をＯＮ・ＯＦＦすることでバッテリーが再充電か取替えが必要となっているのをユーザに知らせるのに使用される。
【００４３】
表示器４、５９を母線４３に接続する表示器インタフェース４５は、従来のように表示器を駆動するためにプロセッサからの指令を表示するように応答する。表示器インタフェースは、更に標準的なビデオ（映像）表示ユニット（ＶＤＵ）を、ＶＤＵコネクター１３を介して駆動するのに必要なロジックを組込んでいる。
【００４４】
表示器５９用のタッチ感応スクリーン１２がマルチフォン２０に含まれており、一般目的のタッチ感応部を併合している。タッチスクリーンインタフェース６２は、タッチ感応スクリーン１２によって読み込まれたデータがプロセッサ４１に通信されるようにタッチ感応スクリーンを母線４３に結合している。図３は、在来の表示スクリーン５９とは別の（例えばオーバレイ等の）タッチ感応スクリーン１２を図示しているが、いずれの適用可能なタッチ感応スクリーン技術を存在している在来表示スクリーンに付加使用するか、又は絶対必要なタッチ感度を有した表示スクリーンを使用するかのいずれかで使用される。
【００４５】
一つ以上のタッチ感応部が、指令のエントリーのために及び／若しくは表示されたアイテムの選択のために、表示スクリーン上に表示されたデータと組合わせてタッチ感応スクリーン部上に限定形成される。特に、プロセッサ４１は、ユーザが選択できるアイテムのメニューを表示したり、メニューアイテム中のユーザが選択したものを入力するためにスクリーンがタッチされた個所に感応するように構成される。かくして、タッチ感応スクリーンは、ダイナミックで且つ再構成できるユーザインタフェースとして使用される。タッチスクリーンエントリーは、キーパッド６からの指令や音声指令のエントリーの代わりに、又はそれに付加して使用される。更に、タッチスクリーン部は、データや書かれた指令のエントリーを許容するために一般的な目的の筆写部として構成され、またサイン確認を使って安全目的に使用される。
【００４６】
オーディオインタフェース６３は、オーディオ信号をスピーカ５とイヤフォン差込みレセプタクル１５に出力したり、高感度マイクロフォン９からのオーディオ信号を受信するのに必要とされるような全ての必要な信号条件設定を実行する。本装置の好適な実施例では、オーディオインタフェース及び／若しくはプロセッサ４１は全ての必要なノイズ削減を実施することになる。
【００４７】
マルチフォン２０は、以下により詳細に説明するように、ＲＳ２３２インタフェース６１や無線周波数（ＲＦ）インタフェース４６や電話ネットワークインタフェース５８を介してデータを発信したり受信することができる。マルチフォン２０の他の実施例では、本装置は、更に、当業者によって評価されるような光ファイバーインタフェース及び／若しくは標準的な平行インタフェースのような他のインタフェースを有することもできる。
ＲＳ２３２インタフェース６１を介して母線４３に接続された標準的なＲＳ２３２コネクター４０が、標準的なＲＳ２３２ケーブル及び／若しくは無線周波数（ＲＦ）リンクを介して他の互換性のある装置をマルチフォン２０に接続できるようにするために設けられている。
【００４８】
無線周波数（ＲＦ）インタフェース４６は、更に、伝達されるデータをＲＦ発信器４７を駆動する信号に変換するために母線４３にも接続されており、またＲＦ受信器４８からの信号を母線４３に送られるデータに変換する。ＲＦ発信器４７とＲＦ受信器４８は、送受信用ＲＦエネルギーを収束させて空中に発するアンテナ１に接続されている。この無線周波数インタフェース４６は、結果的に一般的に５０〜１０００メートルの限定された範囲に渡ってマルチフォン２０と他の互換性のある装置との間における無線通信を可能にする。
【００４９】
高周波で作動するように設計された発信器と受信器のロジックを組込んでいる電話ネットワークインタフェース５８は、母線４３に接続されており、標準的なセルの及び／若しくは人工衛星のネットワークを利用してより長距離範囲に渡ってマルチフォン２０と他の互換性のある装置との間の無線通信ができるようにしている。電話ネットワークインタフェース５８は、アンテナ１に接続されている。電話ネットワークインタフェース５８の機能エレメントについてのより詳細な説明については図４を参照にして後で行う。
【００５０】
ＲＦインタフェース４６と電話ネットワークインタフェース５８の両方の発信器と受信器のロジックは、同じアンテナ１を使用しているので、プロセッサ４１はそれらの作動状態を制御できることが必要である。更に、アンテナ１が広い周波数域に渡って作動するように設計されていることも必須要件であるため、拡張可能な及び／若しくは取替え可能な及び／若しくは互換性のあるアンテナが適宜設けられている。
【００５１】
マルチフォン２０は、ＰＣＭＣＩカード８４、８５、８６と母線４３との間のインタフェースを管理するためにＰＣＭＣＩＡ制御器６０を有している。ＰＣＭＣＩＡ制御器６０は、標準的な６８ピンのＰＣＭＣＩＡコネクタ−５４、５５、５６を介してＰＣＭＣＩＡカード８４、８５、８６に接続されている。電力制御モジュール（ＰＣＭ）５２内に組み込まれたＰＣＭＣＩＡ電力インタフェース（図示されていない）は、ＰＣＭＣＩＡカード８４、８５、８６に全てのそれらの必要な電力と電圧の必要条件を与えている。
【００５２】
本装置の好適な実施例では、ＰＣＭＣＩＡ制御器６０は、一般に幾つかのＩＣメーカから入手できる適当なチップセットから構成されよう。代わりに、ＰＣＭＣＩＡ制御器６０は、フィールドプログラム化可能なゲートアレー（ＦＰＧＡ）及び／若しくは特定用途向け集積回路（ＡＳＩＣ）、または実に他のいずれかの比較可能な技術を使用して実装される。
プロセッサ４１は、ＲＯＭ４２や、使用中にはＲＡＭ４４に記憶された制御プログラムとデータによってプログラムが組まれており、カメラインタフェース４９から信号を受信し、それら信号を訳し、表示器４に表示され且つＲＡＭ４４に又は一つ以上のＰＣＭＣＩＡスロット５４、５５、５６を占めているいずれかの適当なＰＣＭＣＩＡメモリーに記憶されるデータをそれら信号から引き出す。
【００５３】
図４は、図３に既に示されている電話ネットワークインタフェース５８を詳細に図示している。電話ネットワークインタフェース５８は、アンテナ１に接続された送受切換器６９から構成されている。送受切換器６９は、発信器６６と受信器６７に接続されており、それらの機能はコーディネータ６８によって同調されている。発信器と受信器の両方は、アナログＦＭとディジタル時分割多重アクセス（ＴＤＭＡ）の両スキームを支持している。発信器６６は、オーディオ信号を無線と周波数（ＲＦ）信号に変換し、受信器６７はＲＦ信号をオーディオ信号に変換する。アンテナ１は、送受信用ＲＦエネルギーを収束して空中に発する。発信器は、マイクロフォン９から適当に条件設定されたオーディオ信号を受信し、他方受信器は、ことごとくオーディオインタフェース６３（図示されていない）を介してスピーカ５及び／若しくはイヤフォンソケット１５を通してオーディオ信号を伝達する。
【００５４】
図５は、図１Ａと１Ｂに示されているように、マルチフォン２０と共に使用するためのＰＣＭＣＩＡカード８４の機能エレメントのより詳細な概略ブロック線図である。ＰＣＭＣＩＡカード８４は、次の３つの機能エレメントから構成されている。
【００５５】
・ＰＣＭＣＩＡカードインタフェース８７、
・メモリー又は周辺ロジック８８、
・カード情報構築（ＣＩＳ）のＲＯＭ８９。
【００５６】
ＰＣＭＣＩＡカード８４のＰＣＭＣＩＡカードインタフェース８７は、ＰＣＭＣＩＡカードの所望の機能性を実現する上で必要とされる全ての必要なエレメントを包含しており、一般に次のブロックを収容している。
・ＰＣＭＣＩＡ立体配置レジスタ、
・母線インタフェースロジック、
・アドレスバッファ、
・データバッファ、
・ＥＰＲＯＭ制御部、
・共通と特別のメモリー制御部、
・特定用途向け機能部。
【００５７】
ＰＣＭＣＩＡメモリーカードでは、メモリー又は周辺ロジック８８は、しばしばメモリーだけから構成され且つめったに付加ロジックを必要としないが、他方ＰＣＭＣＩＡＩ／Ｏカードでは、メモリー又は周辺ロジック８８は、ロジック集約的であり、通常小形パッケージ様式を採用してカード上に設置されたメーカのチップセットを使用することで実装される。
【００５８】
カード情報構築（ＣＩＳ）のＲＯＭ８９は、カードがどんな機能を実行するのかをホスト装置に知らせるカード上のメモリーブロックである。これは、全てのＰＣＭＣＩＡカード上に存在しているバイト範囲に渡るＰＲＯＭである。
【００５９】
図６は、図１Ａと１Ｂに示されているようにマルチフォン２０と共に使用するためのクリップ−オン式囲い９９の機能エレメントをより詳細に示した概略ブロック線図である。クリップ−オン式囲い９９は、枢支軸９８上に中心で配置された回転プリント回路基板（ＰＣＢ）９１上に搭載されたカメラ２を収容している。回転ＰＣＢ９１は、可撓な電気回路リボン１１８を介して電気コネクター１１７、９０によってマルチフォンのマザーボード１００に接続されている。
【００６０】
サーボコントローラ（図３で６４）を介してプロセッサ（図３で４１）によって制御されるサーボモータ６５は、回転ＰＣＢ９１を１８０度に渡って３つの異なる機能位置に回転させるために使用される。更に、マルチフォン２０の本体に接続された親指ホィール（図３で３）が、クリップ−オン式囲い９９内に組込まれた歯車伝達機構（図示されていない）を使って回転ＰＣＢ９１を回転させる為に使用される。
【００６１】
各機能位置において、レンズ本体９６に組み込まれた各々のレンズ９３、９４９５は、カメラ２の正しい焦点合わせの手助けをする。各レンズ９３、９４、９５は、上述したようにそれらの各位置の特定の機能必要条件を満足させるように製造されている。カメラ２は、更に、回転ＰＣＢ９１に接続されたカメラシュラウド９２によって入ってくる周囲の光から遮蔽されている。カメラシュラウド９２は、ユーザが良く読み取れるように手助けするために（例えばＬＥＤやレーザダイオード等の）一つ以上の光源９７を組み込むことができる。
【００６２】
図７は、図２Ａ、２Ｂ、２Ｃ及び２Ｄのベースユニット２７の機能エレメントの概略ブロック線図である。
電力制御モジュール（ＰＣＭ）１０１は、適当なジャックプラグ（図示されていない）を差込みレセプタクル３８に差し込んで、電カケーブル２１を介して標準的なＡＣ／ＤＣ給電部（図示されていない）から電力が供給される。
ＰＣＭ１０１は、マルチフォン２０がベースユニット２７に収容されている時に再充電可能なバッテリー５３、５７が再充電されるように第１と第２の電気接点２４、２５に接続される。インディケータ灯２６は、ＰＣＭ１０１に接続されており、再充電可能なバッテリー５３、５７が充電していることを表示するために使用される。ＰＣＭ１０１は、更に（図面の簡略化のために）矢印１０３によって概略表示されている給電ラインを介してベースユニット２７の他のエレメントにも給電する。
【００６３】
マルチフォン２０及びベースユニット２７と共に使用するために標準的なＡＣ／ＤＣ給電部の使用に加えて、例えば自動車からの１２ＶのＤＣ給電部に接続するためにアダプターも設けられることが察知されよう。
モデム１０２は、無線周波数（ＲＦ）のインタフェース１１０を介してＲＦ受信器１０８とＲＦ発信器１０９に接続されている。ＲＦインタフェース１１０は、ＲＦ受信器１０８からの信号をモデム１０２に送られるデータに変換すると共に、モデム１０２からのデータをＲＦ発信器１０９によって発信される信号に変換する。パーソナルコンピュータ（図示されていない）に接続するための（例えば、図示はされていないが、標準的なＲＳ２３２インタフェース等の）別のインタフェースも設けられる。
【００６４】
更に、標準的な電話ハンドセット（図示されていない）に接続するためのソケットも設けられる。モデム１０２は、一般に主制御ユニット１０６とデータポンプ１０７とメモリー１０４とから構成された在来のモデムとすることができる。主制御ユニット１０６は、ＲＦインタフェース１１０からの（及び／若しくはもしパーソナルコンピュータが接続されていれば、ＲＳ２３２インタフェースからの）データを受信するために接続されている。データポンプ１０７からのデータは、電話線２２にラインインタフェース１０５を介して、また標準的な電話ソケット３７を介して結合されている。データポンプ１０７は、更に、電話線２２を介してデータの発信をモニターするためにスピーカ（図示されていない）にオーディオインタフェース（図示されていない）を介して接続される。
【００６５】
図８は、各電話接続部２２（電話線や無線電話チャンネル等）を介して中央演算装置１１１に接続された複数のマルチフォンユニット２０から構成されたシステムを概略表示している。このシステムでは、データ及び／若しくは画像、及び／若しくは記憶された情報は、個々のマルチフォン／ベースユニット２０／２７と中央演算装置１１１との間で発信され且つ受信される。本発明の好適な実施例では、マルチフォン／ベースユニット２０／２７は、商品の注文を出すために使用され、中央演算装置１１１はそれらの注文を処理してそれらをユーザに送る。
【００６６】
更に、中央演算装置１１１は、次のような情報を発信し及び／若しくは受信するために使用される：
・製品アイテムに関する最新の情報、
・マルチフォン２０と使用するためのソフトウェアの及び／若しくはファームウェアのプログラム、
・スチール又はモーション画像。
明らかに、このリストは網羅的なものではなく、従って電話ネットワークを介する伝達に適したいずれの情報も発信され及び／若しくは受信される。
【００６７】
マルチフォン２０の好適な実施例では、ＲＯＭ（図３で４２）に記憶されたソフトウェアは、中央演算装置１１１又は他の互換性のある遠隔装置からのデータの装填をできるようにしている。ドット符号によって予め符号化された一連の指令を使ってプログラムの組込みが実施される。かくして、プログラム組みの指令は、『ドット』指令として知られており、当業者に明らかなように幾つかの標準的な操作をカバーしている。
【００６８】
このように、かなりの量のカタログデータ及び／若しくはプログラムソフトウェア及び／若しくは画像が中央演算装置１１１に保持され且つ必要に応じ且つ必要時にマルチフォン２０に送られる。プログラムが写し取られるようになっている場合には、例えばＲＯＭ（図３で４２）をフラッシュＰＲＯＭテクノロジーに実装することでマルチフォン２０に書き直し可能なプログラムの記憶部が必要とされることになろう。
【００６９】
好ましくは、データの許可されていない更新を防ぐために安全システムがマルチフォン２０に設られている。一つのそのような安全システムは、データの符号化を利用して実現される。このシステムでは、各マルチフォン２０には、中央演算装置１１１及び／若しくはサービスプロバイダーからの独特な符号化キーが与えられている。結果的に、その装置に伝達されるデータは、その装置自身の特定の符号化キーを使用して符号化される。結果的に、その特定のマルチフォン２０だけが、この伝達されたデータをうまく受信して解読することができる。
【００７０】
付加的な安全法としては、各マルチフォン２０の符号化キーは、中央演算装置１１１によって、及び／若しくはサービスプロバイダーによって、随意に及び／若しくはマルチフォン２０が中央演算装置１１１及び／若しくはサービスプロバイダーと接触する度に更新される。これは、例えばEＥＰＲＯＭテクノロジーにＲＯＭ（図３で４２）を実装することでマルチフォン２０の書き直し可能なプログラム記憶部を使用して実現される。
【００７１】
在来のマイクロプロセッサーや外部ハードウェアが使用され得るが、図９の実施例は、特定用途向け集積回路（ＡＳＩＣ）を使用して実行される。同様に、前の図を参照にして説明した実施例も（例えばディジタル信号プロセッサー（ＤＳＰ）及び／若しくはフィールドプログラマブルゲートアレー（ＦＰＧＡ）等の）マイクロプロセッサーの代わりにＡＳＩＣまたは他の同等なテクノロジーを使っても実現され得ることが察知されよう。
【００７２】
図９の実施例では、ＡＳＩＣは、次のものを含んでいる装置の必要な処理機能の大部分を実行する：
・カメラ２からのデータを受け入れる。
・カメラ２から受信されたデータを処理する。
・カメラ２へのインタフェースを制御し、カメラインタフェース４９の機能がＡＳＩＣで実行される。
・サーボモータ６４に接続されたサーボコントローラ６４を制御し、サーボコントローラ６４の機能は、ＡＳＩＣで実行される。
・キーパッド６からのデータを受け入れる。
・キーパッド６へのインタフェースを制御し、キーパッドインタフェース５１の機能はＡＳＩＣで実行される。
【００７３】
・差込みレセプタクル１４を介して、オプションのパーソナルコンピュータ（ＰＣ）のキーボード（図示されていない）からのデータを受け入れる。
・標準的なパーソナルコンピュータのキーボード（図示されていない）へのインタフェースを制御し、キーボードインタフェース８３の機能はＡＳＩＣで実行される。
・インディケータ１８を駆動する。
・ＲＡＭ４４へのまたそれからのデータ流れを制御する。
・ＲＯＭ４２へのまたそれからのデータ流れを制御する。
・ビデオＣＯＤＥＣ５０へのまたそれからのデータ流れを制御し、ビデオＣＯＤＥＣ５０の機能はＡＳＩＣで実行される。
・電力制御モジュール５２と調和させる。
・アナログ電話システムとの共用ためにモデム機能を実行し、更にディジタル電話システム及び／若しくはセル電話ネットワークとの統合のために必要な処理と制御を行う。
・スピーカ５とイヤフォンとをイヤフォン差込みレセプタクル１５を介して制御し、通話の進行がモニターされるようにする。
【００７４】
・カメラ２とスピーカー５及びイヤフォン（図示されていない）と組合わさったマルチフォンがオーディオ及び／若しくはビジュアルな通話の目的にハンドセットとして操作できるようにするためにマイクロフォン９からの入力を受け入れる。
・表示器４、５９とＶＤＵコネクター１３へのインタフェースを制御し、表示インタフェース４５の機能はＡＳＣＩで実行される。
・タッチスクリーン１２に対するインタフェースを制御し、タッチスクリーンインタフェース６２の機能はＡＳＩＣで実行される。
・ＲＦリンクを介したもう一つの互換性のある装置へのデータの無線転送ができるようにするためにＲＦ発信器４７とＲＦ受信器４８に対するインタフェースを制御し、ＲＦインタフェース４６の機能は、ＡＳＩＣで実行される。
・ＲＳ２３２コネクター４０に対するインタフェースを制御し、ＲＳ２３２の機能はＡＳＩＣで実行される。
・ＰＣＭＣＩＡカード８４、８５、８６に接続されたＰＣＭＣＩＡコントローラ６０を制御しＰＣＭＣＩＡコントローラ６０の機能はＡＳＩＣで実行される。
図１０は、ＡＳＩＣ１１２の構成をより詳細に図解している。
【００７５】
ＡＳＩＣは、マルチフォン２０とその関連した構成要素の作動を制御するシステムコントローラ１１３から構成されている。この実施例では、そのシステムコントローラ１１３は、ＡＳＩＣ内に組み込まれたマイクロコントローラのコアから構成されている。他の実施例では、それは、例えば一つ以上の列挙可能な状態のマシンを使用した幾つかの他の制御手段からも構成される。
【００７６】
マイクロコントローラは、図９に図解されている外部母線４３に接続された内部母線１１６を介してリクエストを受信する。しかし、システムコントローラ１１３が幾つかの列挙可能な状態のマシンから構成されている代替実施例では、制御は、一定状態のマシンにおいてロジックを一定に相互接続することで行われよう。
【００７７】
もしシステムコントローラ１１３がマイクロコントローラのコアの場合、その作動を制御するデータは、外部ＲＯＭ４２と共に内部ＲＯＭ１１４に記憶される。代わりに、内部ＲＯＭ１１４を設けないこともでき、そうするとシステムコントローラ１１３が外部ＲＯＭ４２からデータを全て得るようになろう。更なる代替案として、内部ＲＯＭ１１４を外部ＲＯＭ４２無しで独占的に使用することができる。しかし、この場合は、本装置の柔軟性を低下させることになろう。予め限定された量の実施作動が全てのマルチフォン２０の型式に対して確定され、また残りの作動が例えば言語の多様性やデータ入力に使用される方法等を考慮して特定のモデルに依存するような場合には、内部ＲＯＭ１１４を使用するのは有利である。
【００７８】
ＡＳＩＣにおける内部ＲＡＭ１１５は、作動速度を上げるスクラッチパッドＲＡＭとして、また主要データの記憶のために外部ＲＡＭ４４の最大量を確保しておくためにシステムコントローラ１１３によって使用される。この『主要データ』は、中央演算装置からの電話伝達によって写し取られるカタログデータ及び／若しくはプログラムソフトウェア及び／若しくは画像等のデータを含んでいる。
【００７９】
内部ＲＡＭ１１５は、外部ＲＡＭ４４を主要データを記憶するものとして、短期間のデータ記憶部として使用され得るが、外部ＲＡＭ４４のデータはバッテリー５３によって保持される。付加的なバックアップバッテリー５７が、バッテリヘ５３の故障の際に外部ＲＡＭ４４や内部ＲＡＭ１１５からデータが消失するのを防ぐデータ保持のために設けられている。
【００８０】
カメラ２によって捕獲されたデータに関する信号は、処理されるようにシステムコントローラにカメラインタフェース４９を介して送られる。カメラインタフェース４９は、更にビデオＣＯＤＥＣ５０にカメラ２から捕獲されたデータをディジタル表示で与えるが、その場合にそれは表示及び／若しくは電話伝達のために適宜処理される。
【００８１】
システムコントローラ１１３に接続されたインディケータ灯１８は、カメラ２からうまくデータを捕獲したことを知らせるために使用され、また更に本装置が正しく使用されていることを表示するためにビデオ遠隔地間会議中にも使用される。
カメラインタフェース４９は、カメラ２から信号を受信する際に必要とされるような全ての必要な信号条件設定を実行する。信号の条件設定は、カメラの正確な構成に左右されるもので、好ましくは当業者には明らかなように捕獲されたデータを十分に緩衝して、正確なアナログ−ディジタル変換（ＡＤＣ）を可能にする信号条件設定から構成される。
【００８２】
システムコントローラ１１３は、サーボコントローラ６４を介してサーボモータ６５を制御することでカメラ２の位置を電気的に調節することができる。結果的に、ユーザは、キーパッド６を介してマルチフォン２０の主要機能を変えることができる。
キーパッドインタフェース５１は、キーパッド６の作動に応答し、確実に、システムコントローラ１１３が特定の押されたキーによって要求された適当な信号を受信できるようにする。キーパッドインタフェース５１も、確実にこの信号が（例えは、キー機構内におけるスプリング作動によるキーの多動に起因するような）はね上がりが全く無いようにする。キーパッドインタフェース５１として同じ働きをする付加キーボードインタフェース８３は、システムコントローラ１１３が標準的なパーリナルコンピュータ（ＰＣ）のキーボードから適切な信号を受信できるようにしている。
【００８３】
システムコントローラ１１３は、電力制御モジュール（ＰＣＭ）５２と調和されており、電力の供給を受ける。
表示インタフェース４５は、システムコントローラ１１３が従来通り表示器４、５９を駆動できるようにすると共に、更に標準的なビデオ表示ユニット（ＶＤＵ）をＶＤＵコネクタ−１３を介して駆動するのに必要なロジックを組み込んでいる。
タッチスクリーンインタフェース６２は、図３を参照にして以前に説明したようにシステムコントローラ１１３がタッチ感応スクリーン１２からのデータを読み込みできるようにする。
【００８４】
システムコントローラ１１３によって制御されるオーディオインタフェース６３は、マイクロフォン９やスピーカ５やイヤフォン差込みレセプタクル１５が標準的なオーディオ電話伝達ができるようにしたり、又はシステムコントローラ１１３がこの実施例で従来からのセル電話技術を使って電話ネットワークに渡ってデータを転送できるようにするのに要求される全ての必要な信号条件設定を実行する。
【００８５】
かくして、オーディオインタフェース６３は、オーディオ信号の伝達のために従来からのセル電話としてマルチフォン２０が使用されるようにする。従来の電話モードでは、システムコントローラ１１３は、オーディオインタフェース６３を介してマイクロフォン９から信号を受信して、電話ネットワークに渡って信号を伝達するのに必要とされる全ての必要なディジタル信号処理（ＤＳＰ）操作を実行する。
【００８６】
これらのディジタル信号処理操作は、当業者には明らかなように、（例えば入り込んだノイズや歪み等の）伝達したくない如何なる周波数もフィルタ除外するマイクロフォン９の従来からの緩衝作動を含む。かくして、システムコントローラ１１３は、この処理された信号を伝達されるように電話ネットワークインタフェース５８に導く。電話ネットワークインタフェース５８から受信されたオーディオデータは、信号をスピーカ５やイヤフォン差込みレセブタクル１５に送るのに必要な全ての信号条件設定を実行するオーディオインタフェース６３にシステムコントローラ１１３を介して導かれる。
【００８７】
データ転送モードでは、発信器と受信器のロジックを組み込んでいる電話ネットワークインタフェース５８は、標準的なセルの及び／若しくは衛星のネットワークを利用してマルチフォン２０と他の互換性のある装置との間で無線通信ができるようにしている。電話ネットワークインタフェース５８は、送受信用のＲＦエネルギを収束して空中に発するアンテナ１に接続されている。電話ネットワークインタフェース５８の機能エレメントは、図４を参照にして前に説明したので、ここでは再度説明はしない。
【００８８】
標準的なＲＳ２３２コネクター４０はＲＳ２３２インタフェース６１を介してシステムコントローラ１１３に接続されており、標準的なＲＳ２３２ケーブル及び／若しくは無線周波数（ＲＦ）リンクを介してマルチフォン２０に他の互換性のある装置を接続できるようにしている。
無線周波数（ＲＦ）インタフェース４６も伝達されるデータをＲＦ発信器４７を駆動する信号に変換するためにＡＳＩＣ１１２に組み込まれており、またＲＦ受信器４８からの信号をシステムコントローラ１１３に送られるデータに変換する。ＲＦ発信器４７とＲＦ受信器４８は、送受信用ＲＦエネルギを再び収束して空中に発するアンテナ１に接続されている。この無線周波数インタフェース４６は、結果的にマルチフォン２０と他のいずれかの互換性のある装置との間での無線通信を可能にする。
【００８９】
最後に、ＡＳＩＣ１１２は、ＰＣＭＣＩＡコネクター５４、５５、５６を介してＰＣＭＣＩＡカード８４、８５、８６間のインタフェースを管理するＰＣＭＣＩＡコントローラ６０を組み込んでいる。
【００９０】
本発明の具体的な実施例をこれまで説明してきたが、幾つかの改造及び／若しくは付け加えが本発明の技術的範囲以内で可能であることは察知されよう。
インタフェースの他の形が、（例えば光ファイバーインタフェース等の）いろいろな形のデータ伝達手段を利用するために手持ちユニットに組み込まれることは察知される。
一例として、表示器４上で及び／若しくはビデオ表示ユニット（ＶＤＵ）上で及び／若しくは標準的なテレビジョン上で標準的なテレビジョン画像を見れるように（例えば、電話線や光ファイバーケーブル、ＵＨＦや衛星の伝達手段等の）各種の有線及び／若しくは無線の伝達手段を介してテレビジョン伝達の受信を可能にするために付加エレメントが手持ちユニットに組み込まれる。これらのテレビジョン画像は、更にマルチフォン２０及び／若しくは中央演算装置における（例えば、ＰＣＭＣＩＡメモリカード等の）適当な媒体に圧縮されて記憶される。
【００９１】
これらの記憶されたテレビジョン画像は、次いで要求があり次第圧縮が解かれて表示器４及び／若しくはＶＤＵ及び／若しくは標準的テレビジョンで見られ、要求があり次第ビデオの形をとることができる。テレビジョン伝達は、更にマルチフォンの内部と外部のメモリに保持されたデータの早い更新ができるように使用される。
【００９２】
更に、いろいろな潜在的なユーザの用途によって必要とされるような（例えば５００Ｈｚから１０ＧＨｚまでの）非常に広い周波数範囲に渡ってデータの無線発信と受信ができるように、周波数調節ロジック等の付加エレメントを手持ちユニットが組み込むように設計されることは察知される。そのような場合、多機能な及び／若しくは付加的なアンテナが必要とされることが考えられる。
【００９３】
上述されたそれら好適な実施例では、手持ちユニットとベースユニットの両方共ほぼ矩形状に構成されているが、それら両ユニットは、他の用途で必要とされるような他の形状に構成され得ることが察知されよう。更に、信頼性や保守性及び人間工学等の設計ファクターを最大化するために手持ちユニットとベースユニットの両方の各構成エレメントの位置を変えることが要求されたり及び／若しくは必要とされることも察知されよう。
【図面の簡単な説明】
【００９４】
【図１Ａ】本出願に従ったほぼ矩形状の手持ちユニットの概略図である。
【図１Ｂ】本出願に従ったほぼ矩形状の手持ちユニットの概略図である。
【図２Ａ】図１Ａと１Ｂの手持ちユニットと共に使用するベースユニットの概略図である。
【図２Ｂ】図１Ａと１Ｂの手持ちユニットと共に使用するベースユニットの概略図である。
【図２Ｃ】図１Ａと１Ｂの手持ちユニットと共に使用するベースユニットの概略図である。
【図２Ｄ】図１Ａと１Ｂの手持ちユニットと共に使用するベースユニットの概略図である。
【図３】図１Ａと１Ｂに図示されているような手持ちユニットの第１例の機能エレメントの概略ブロック線図である。
【図４】図１Ａと１Ｂに図示されているような手持ちユニットの一部を成す電話ネットワークインタフェースの機能エレメントの概略ブロック線図である。
【図５】図１Ａと１Ｂの手持ちユニットと共に使用するＰＣＭＣＩＡカードの機能エレメントの概略ブロック線図である。
【図６】図１Ａと１Ｂの手持ちユニットと共に使用するクリップ−オン式囲いの機能エレメントの概略ブロック線図である。
【図７】図１Ａ、１Ｂ及び３の手持ちユニットと共に使用する図２Ａ、２Ｂ、２Ｃ及び２Ｄに図示されているようなベースユニットの機能エレメントの概略ブロック線図である。
【図８】各電話接続部を介して中央演算装置にリンクされ、上記の図に図解されている複数の手持ちユニットから構成されたシステムの全体図である。
【図９】特定用途向け集積回路（ＡＳＩＣ）を使用して実装された図１Ａと１Ｂに図示されているような手持ちユニットの別の例の機能エレメントの概略ブロック線図である。
【図１０】図９の装置の一部を形成するＡＳＩＣにおける構成要素を図解している概略ブロック線図である。
【図１Ａ】
2006325227.tif 000003
【図１Ｂ】
2006325227.tif 000004
【図２Ａ】
2006325227.tif 000005
【図２Ｂ】
2006325227.tif 000006
【図２Ｃ】
2006325227.tif 000007
【図２Ｄ】
2006325227.tif 000008
【図３】
2006325227.tif 000009
【図４】
2006325227.tif 000010
【図５】
2006325227.tif 000011
【図６】
2006325227.tif 000012
【図７】
2006325227.tif 000013
【図８】
2006325227.tif 000014
【図９】
2006325227.tif 000015
【図１０】
2006325227.tif 000016